【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
飲料容器に組み付けられるように適合した蓋であって、
周縁端を有する実質的に平面状の部材と、
前記平面状の部材の前記周縁端の近くに形成され、円筒形側壁と底壁を有するソケットと、
前記ソケットの前記底壁に配置され、テアパネルを規定するスコアラインであって、前記スコアラインは、前記円筒形側壁から内側に位置し、前記スコアラインと前記円筒形側壁の間に環状面を規定して着座構造セグメントを提供する、該スコアラインと、
円筒形側壁の下端に渡って延びる底面を有するキャップであって、前記キャップは、前記ソケット内で動けるように配置され、前記キャップの前記底面は、前記ソケットの前記底壁に隣接して配置され、前記キャップは、前記キャップの前記底面から下に延びる尖った突部を有し、前記キャップが前記ソケットに組み付けられたときに、前記尖った突部が前記ソケットに向けて下方に延びて前記スコアラインの直上に配置される、該キャップと、
前記キャップを前記スコアラインに対して開封位置、取外位置及び再封止位置の間で駆動するカム構造であって、前記カム構造は、カム構造と協働して係合する少なくとも１つのカム面を有し、前記カム構造は、回転運動を前記回転運動により規定される面に実質的に垂直な直線運動に変換する、該カム構造を有する、蓋。
【請求項２】
前記尖った突部は、前記キャップの中心軸からオフセットして配置される、請求項１の蓋。
【請求項３】
前記キャップは、実質的に前記ソケット内に嵌合し、
前記カム構造は、前記ソケットと前記キャップの前記円筒形側壁の一方に形成されたカム面と、前記ソケットと前記キャップの前記円筒形側壁の他方に形成された少なくとも１つの突部を有する、請求項１又は２の蓋。
【請求項４】
前記キャップと前記蓋は、
前記ソケットの前記着座構造と前記キャップの前記下面の間、及び、
前記実質的に平面状の部材の上面と前記キャップの周縁端から放射状に外方に延びるフランジの接触面の間
の少なくとも１つに封止を形成する、請求項１〜３のいずれかの蓋。
【請求項５】
前記スコアラインの端部により規定されるヒンジセクションを更に有し、
前記ヒンジセクションは、前記テアパネルと前記環状面の間に延びて、前記スコアラインが破断されたときに、前記平面状の部材への前記テアパネルの取り付けを維持する、請求項１又は２の蓋。
【請求項６】
前記カム構造が前記キャップの外側円筒形面に形成されたカム面と、前記ソケットの内側円筒形面に形成された突部を有し、
前記カム面は、前記突部に係合するよう適合され、それにより、前記キャップの回転運動が前記キャップの並進運動を与える、請求項１又は２の蓋。
【請求項７】
開封前に関連する第１の位置と開封後に関連する第２の位置に前記キャップを固定するための戻り止め機構を更に有する、請求項１又は２の蓋。
【請求項８】
前記キャップは、上端と下端を有し、前記テアパネルは、前記カム構造により前記尖った突部が下方に駆動されて前記スコアラインに突き当たったときに開かれる、請求項７の蓋。
【請求項９】
−前記戻り止め機構が前記カム構造と関連する構成、
−前記開封前の位置が保管と移送の機能と関連し、前記開封後の位置が再封止と関連する、
−前記戻り止め機構が前記カム構造の少なくとも一部を含む構成、及び、
−前記カム構造が、前記蓋の前記円筒形側壁に形成されたカムフォロワに係合する前記キャップに形成されたカム要素を含み、前記戻り止め機構が前記カムフォロワと協働するカム要素に形成された戻り止めを含んで、前記キャップを開封前の位置と開封後の位置に保持する構成、
のうちの少なくとも１つの構成を有する、請求項７の蓋。
【請求項１０】
前記カム構造が、
前記キャップを前記テアパネルと作動的に係合するよう駆動して、前記テアパネルを前記缶内に押して前記蓋に開口を形成する第１駆動システムと、
前記キャップと前記テアパネルの間の係合を増大させるように前記第１駆動システムに応答して動作可能な第２駆動システムを更に有し、
前記鋭利な突部が前記キャップの前記底壁の中心に形成され、前記スコアラインは、前記キャップが前記ソケット内に配置されたときに前記鋭利な突部と並置されて、前記ソケットの前記底壁の中心に形成される、請求項１又は２の容器のための蓋。
【請求項１１】
前記蓋は、内部空間に下方に延び、側壁と底壁を有するソケットを含み、
前記キャップは、側壁と底壁を有し、
前記キャップは、前記ソケットに嵌合する、請求項１，２及び９のいずれかの容器のための蓋。
【請求項１２】
前記第１駆動手段が、前記キャップの回転運動を前記キャップの直線運動に変換するように適合された第１直線運動駆動機構を含む、請求項９の容器のための蓋。
【請求項１３】
前記第２駆動手段が、前記キャップの回転運動を前記テアパネルに印加される分離力に変換するように適合された第２直線運動駆動機構を含む、請求項１１の容器のための蓋。
【請求項１４】
第１直線運動駆動機構が、前記キャップの前記円筒形側壁及び前記ソケットの前記円筒形側壁にそれぞれ形成された第１及び第２カム構造を含む、請求項１１の容器のための蓋。
【請求項１５】
−前記第２直線運動駆動機構が前記キャップの前記底壁及び前記ソケットの前記底壁にそれぞれ形成された第３及び第４カム構造を含む構成、
−前記第１カム構造が、前記キャップの前記円筒形側壁に形成された溝を含み、前記第２カム構造が、前記ソケットの前記円筒形側壁に形成された少なくとも１つの突部を含む構成、
−前記第３カム構造が少なくとも１つのキャップランプを含み、前記第４カム構造が前記少なくとも１つのキャップランプと摺動係合する少なくとも１つのソケットランプを含む構成、及び、
−前記少なくとも１つのキャップランプが、前記少なくとも１つのソケットランプと摺動係合する、前記キャップの前記底壁の周辺に配置された３つのランプを有する構成、
のうちの少なくとも１つの構成を有する、請求項１２の容器のための蓋。
【請求項１６】
前記スコアラインが少なくとも２つの交差線を備え、前記鋭利な突部が前記２つの線の交点で並置される、請求項９の容器のための蓋。
【請求項１７】
前記スコアラインが実質的にループ形状である、請求項１，２及び９のいずれかの容器のための蓋。
【請求項１８】
前記スコアラインが実質的にＳ字形状である、請求項１，２及び９のいずれかの容器のための蓋。
【請求項１９】
再封止自在な缶蓋を作製する方法において、
実質的に平面状のブランクから蓋を形成するステップと；
前記ブランクにソケットを形成するステップであって、前記ソケットは、ソケット側壁と、ソケット底壁と、前記ソケット側壁と一体のソケット側壁駆動機構と、前記ソケット底壁と一体のソケット底壁駆動機構を有する、該前記ブランクにソケットを形成するステップと、
前記ソケットの前記底壁にスコアラインを形成するステップであって、前記スコアラインは、テアパネルを規定し、前記スコアラインは、前記円筒形側壁から内側でかつ前記ソケット底壁駆動機構の外側に位置して、前記スコアラインと前記円筒形側壁の間に環状面を規定してソケット着座構造セグメントを提供する、該前記ソケットの前記底壁にスコアラインを形成するステップと、
前記キャップ側壁と、キャップ底壁と、前記キャップ側壁と一体のキャップ側壁駆動機構要素と、前記キャップ底壁と一体で前記キャップ封止リングの内側に位置するキャップ底壁駆動機構要素を有するキャップを形成するステップと、
前記キャップ封止リングの内側に位置する前記キャップ底壁と一体の穿孔要素を形成するステップと、
前記キャップを前記ソケットに挿入して前記ソケット側壁駆動機構を前記キャップ側壁駆動機構要素と摺動係合させるステップと、
前記ソケット底壁駆動機構要素と前記キャップ底壁駆動機構要素を相互に接触するように配置するステップと、
前記穿孔要素を前記スコアラインと一致するように配置するステップとを有し、
前記キャップが前記ソケット内で第１の向きに回転されたときに、前記ソケット側壁駆動機構がキャップ側壁駆動機構要素と係合し、前記キャップ底面を前記ソケット底壁に向けて駆動し、前記穿孔要素により印加される開封力を前記スコアラインに生じさせて、前記スコアラインを破断させて、前記テアパネルを部分的に前記ソケット底壁から分離させ、
前記キャップは、第２の方向に回転されて前記ソケットから取り外され、
前記キャップが前記ソケットに再挿入されて前記第１の方向に回転されたとき、前記キャップ封止リングは、前記ソケット着座構造セグメントに対して着座して前記再封止可能な蓋を封止する、方法。
【請求項２０】
前記キャップが前記ソケット内で前記第１の方向への回転を続けるにつれて、前記ソケット底壁駆動機構及び前記キャップ底壁駆動機構要素は相互に協働的に係合して二次的な開封力を発生させて前記テアパネルに印加し、スコアラインの破断を伝搬させて、前記テアパネルを前記ソケット底壁から分離させ続け、前記テアパネルの分離された部分を前記ソケット底壁から離れる方に曲げさせる、請求項１９の方法。
【請求項２１】
前記キャップの前記底壁の中心に穿孔要素を、前記ソケットの前記底壁の中心に第２スコアラインを形成し、前記キャップが前記ソケットに挿入されたときに、前記穿孔要素と前記第２スコアラインを並置するステップを更に有する、請求項１９の方法。
【請求項２２】
前記ソケット底壁駆動機構及び前記キャップ底壁駆動機構要素の少なくとも１つにランプ形状が付与される、請求項１９の方法。
【請求項２３】
飲料容器のための再封止可能なキャップであって、
周縁端を有する実質的に平面状の部材を有する蓋と、
前記実質的に平面状の部材から下方に延びるソケット円筒形側壁と、前記ソケット円筒形側壁の下端に渡って封止するように延びるソケット底壁と、前記ソケット側壁と一体のソケット側壁駆動機構要素と、前記ソケットの前記底壁に配置され、テアパネルを規定するスコアラインであって、前記円筒形側壁から内側に位置して、前記スコアラインと前記円筒形側壁の間に環状面を規定して、ソケット着座構造セグメントを提供する、該スコアラインと、前記ソケット底壁と一体で前記ソケット着座構造セグメントの内側に位置するソケット底壁駆動機構要素を有するソケットと、
キャップ円筒形側壁と、キャップ底壁と、前記キャップ底壁に規定されその周縁端の周りに延びるキャップ封止リングと、前記キャップ底壁と一体のキャップ側壁駆動機構要素と、前記キャップ底壁と一体で前記キャップ封止リングの内側に位置するキャップ底壁駆動機構要素を有するキャップであって、
前記キャップは、前記ソケットに嵌合し、保管位置、開封位置、前記キャップが前記ソケットから取り外されたドリンク位置、及び、前記キャップ封止リングと前記ソケット着座構成セグメントを相互に当接させてその間に封止を形成する再封止位置の間で動作可能であり、
前記キャップは、前記ソケットに回転挿入されて前記ソケット側壁駆動機構を前記キャップ側壁駆動機構要素と摺動係合するように配置し、前記ソケット底壁駆動機構要素と前記キャップ底壁駆動機構要素は、並置位置で相互に接触して配置される、該キャップと、
前記ソケット側壁駆動機構及び前記キャップ側壁駆動機構要素の間の協働動作により提供される第１駆動機構であって、前記第１駆動機構は、前記キャップを前記ソケットに取り外し可能にかつ回転可能に接続して、前記キャップと前記ソケットの垂直移動を制御し、前記キャップの回転により動作可能であり、前記キャップ底面を前記ソケット底壁に駆動し、前記穿孔要素により前記スコアラインに印加される開封力を生成して、前記スコアラインを破断させて、前記テアパネルを前記ソケット底壁から部分的に分離させる、該第１駆動機構と、
前記ソケット底壁駆動機構要素及び前記キャップ底壁駆動機構要素の間の協働的相互作用により提供される第２直線駆動機構であって、前記第２直線駆動機構の協働的相互作用は、前記第１駆動機構の協働的相互作用と連携して、
前記第１駆動機構及び前記第２直線駆動機構の組み合わせにより提供される力を印加するように動作し、前記スコアラインの破断を伝搬させて前記テアパネルの一部を前記ソケット底壁から離れる方に移動させ、前記テアパネルと前記ソケット底壁の間に開口を形成する、キャップ。
【請求項２４】
前記キャップが前記ソケット内で第１の方向に回転されたときに、前記ソケット側壁駆動機構は、前記キャップ側壁駆動機構要素と係合し、前記キャップ底面を前記ソケット底壁に向けて駆動し、前記穿孔要素により前記スコアラインに印加される開封力を生成して、前記スコアラインを破断させて、前記テアパネルを部分的に前記ソケット底壁から分離させ
前記キャップが前記ソケット内で前記第１の方向に回転を続けるにつれて、前記ソケット底壁駆動機構及び前記キャップ底壁駆動機構要素は相互に協働的に係合して二次的開封力を生成して前記テアパネルに印加し、前記スコアラインの破断を伝搬させて、前記テアパネルを前記ソケット底壁から分離させ続け、前記テアパネルの分離された部分を前記ソケット底壁から離れる方に曲げ、
前記キャップが第２の方向に回転されたときに、前記キャップは、前記ソケットから取り外され、前記破断されたスコアラインと開封されたテアパネルにより形成される開口を通る飲料容器からの飲料の通過を可能にし、
前記キャップが前記ソケットに再挿入されて前記第1の方向に回転されたとき、前記キャップ封止リングは前記ソケット着座構造セグメントに対して着座して、前記再封止可能なキャップを封止する、請求項２３の飲料容器のための再封止可能なキャップ。
【請求項２５】
垂直方向で傾斜するランプを有するように形成された前記キャップ駆動機構要素、
垂直方向で傾斜するランプを有するように形成された前記かみ合いソケット駆動機構要素、
前記ソケットの中心に向けて延びる突部として形成された前記ソケット側壁駆動機構要素、及び、
前記キャップ側壁から内側に延びる溝として形成された前記キャップ側壁駆動機構要素
の少なくとも１つを更に有する、請求項２３の再封止可能なキャップ。
【請求項２６】
前記キャップ駆動機構要素及び前記かみ合いソケット駆動機構要素がそれぞれ垂直方向で傾斜するランプを含む、請求項２３の再封止可能なキャップ。
【請求項２７】
前記ソケット側壁駆動機構は、前記ソケット円筒形側壁に形成された突起を有し、前記キャップ側壁駆動機構要素は、前記キャップ円筒形側壁に形成された溝を有し、
前記突起は、前記溝内で摺動可能に配置される、請求項２３の再封止可能なキャップ。
【請求項２８】
垂直方向で傾斜するランプを有するように形成された前記キャップ駆動機構要素、
垂直方向で傾斜するランプを有するように形成された前記かみ合いソケット駆動機構要素、
前記ソケットの中心に向けて延びる突部として形成された前記ソケット側壁駆動機構要素、及び、
前記キャップ側壁から内側に延びる溝として形成された前記キャップ側壁駆動機構要素
の少なくとも１つを更に有する、請求項２３の再封止可能なキャップ。
【手続補正２】
【補正対象書類名】明細書
【補正対象項目名】００６１
【補正方法】変更
【補正の内容】
【００６１】
本発明の特定の実施形態を述べたが、上記実施形態と同等の他の実施形態が存在することを当業者は理解するであろう。従って、本発明は、特定の例示の実施形態によって限定されないが、添付の請求の範囲によってのみ限定されることを理解するべきである。
（付記）以下、本願に当初より記載の発明を付記する。
＜請求項１＞
飲料容器において、
側壁および対向する軸端を有する本体と；
１つの軸端上において、前記側壁と一体形成された底壁と；
他の軸端の側壁に接続され、閉鎖した内部空間を定め、脆弱領域を有する蓋と；
前記脆弱領域に並置して前記蓋に回転自在に、しかも取り外し自在に接続されたキャップと；
前記キャップを駆動して前記脆弱領域と動作可能に係合させ、それによって前記脆弱領域を缶に押し入れ、前記蓋に開口部を形成するための第１の駆動手段と；
前記第１の駆動手段に応答して動作可能であり、前記キャップと前記脆弱領域との間の係合を増大させるための第２の駆動手段と；を備えることを特徴とする、飲料容器。
＜請求項２＞
前記蓋が前記内部空間に下向きに延在し、側壁および底壁を有するソケットを備え、前記キャップは、側壁および底壁を有し、前記キャップは前記ソケットに嵌合することを特徴とする、請求項１に記載の飲料容器。
＜請求項３＞
前記第１の駆動手段が、前記キャップの回転運動を前記キャップの直線運動に変換することが可能な第１の直線運動駆動機構を備えることを特徴とする、請求項３に記載の飲料容器。
＜請求項４＞
前記第２の駆動手段が、前記キャップの回転運動を前記キャップの直線運動に変換することが可能な第２の直線運動駆動機構を備えることを特徴とする、請求項３に記載の飲料容器。
＜請求項５＞
前記第１の直線運動駆動機構が、前記キャップの前記側壁および前記ソケットの側壁にそれぞれ形成された第１および第２のカム構造を備えることを特徴とする、請求項３に記載の飲料容器。
＜請求項６＞
前記第２の直線運動駆動機構が、前記キャップの前記底壁および前記ソケットの前記底壁にそれぞれ形成された第３および第４のカム構造を備えることを特徴とする、請求項４に記載の飲料容器。
＜請求項７＞
前記第１のカム構造が前記キャップの前記側壁に形成された溝を備え、前記第２のカム構造が前記ソケットの前記側壁に形成された少なくとも１つの突部を備えることを特徴とする、請求項５に記載の飲料容器。
＜請求項８＞
前記第３のカム構造が少なくとも１つのキャップランプを備え、前記第４のカム構造が前記少なくとも１つのキャップランプと摺動係合した少なくとも１つのソケットランプを備えることを特徴とする、請求項６に記載の飲料容器。
＜請求項９＞
前記少なくとも１つのキャップランプが、前記少なくとも１つのソケットランプと摺動係合して、前記キャップの前記底壁の周辺に配置された３つのランプを備えることを特徴とする、請求項８に記載の飲料容器。
＜請求項１０＞
前記キャップが、その底壁の中央に形成した鋭利な突部を備え、前記ソケットが、前記キャップが前記ソケット内に位置決めされると、前記鋭利な突部に並置して、前記ソケットの前記底壁の中央に形成されたスコアラインを備えることを特徴とする、請求項１に記載の飲料容器。
＜請求項１１＞
前記スコアラインが少なくとも２つの交差線を備え、前記鋭利な突部が前記２つの線の交点で並置されることを特徴とする、請求項１０に記載の飲料容器。
＜請求項１２＞
飲料容器において、
閉鎖端部および開口端部を有する本体と；
前記開口端部上に配置され、前記本体を閉鎖して内部空間を定める頂部と；
前記頂部に形成され、脆弱領域を含むソケットと；
前記ソケットに嵌合され、保管位置と、開口位置と、前記ソケットから取り外される飲み位置と、再封止位置との間で移動自在のキャップと；
前記キャップを前記ソケットに取り外し自在に、しかも回転自在に接続し、前記キャップの回転によって動作可能となり、前記頂部から少なくとも一部が離れて前記脆弱領域を破断し、前記脆弱領域を前記本体の前記内部空間に強いる第１の直線駆動機構と；
前記キャップと前記ソケットとの間で摺動係合し、前記キャップの回転によって動作可能となり、前記ソケットに前記キャップの直線運動を増大し、それによって前記第１の直線駆動によって与えられる力を増大する第２の直線駆動機構と；を備えることを特徴とする、飲料容器。
＜請求項１３＞
前記ソケットおよび前記キャップが対向する側壁を備え、前記第１の直線機構が、前記キャップの前記側壁に形成された溝と、前記ソケットの前記側壁に形成された突部とを備えることを特徴とする、請求項１２に記載の飲料容器。
＜請求項１４＞
前記ソケットおよび前記キャップが対向する側壁および対向する底壁を備え、前記第２の直線機構が、前記キャップの前記底壁に配置された第１の連続するランプと、前記第１の連続するランプと摺動係合して、前記ソケットの前記底壁に配置された第２の連続するランプとを備えることを特徴とする、請求項１２に記載の飲料容器。
＜請求項１５＞
前記ソケットおよび前記キャップが対向する側壁および対向する底壁を備え、前記キャップが、前記キャップの前記底壁の中央に配置した鋭利な突部をさらに備え、前記ソケットが、前記鋭利な突部に並置して、前記ソケットの中央に形成したスコアラインをさらに備えることを特徴とする、請求項１２に記載の飲料容器。
＜請求項１６＞
前記脆弱領域が、前記ソケット底壁の周辺に向けて延在する実質的に閉鎖したループスコアラインによって定められることを特徴とする、請求項１２に記載の飲料容器。
＜請求項１７＞
再封止自在な缶頂部を作製する方法において、
実質的に平面状のブランクから蓋を形成するステップと；
前記ブランクにソケットを形成するステップと；を備え、前記ソケットは、側壁と、底壁と、前記側壁から外向きに延在する突部と、前記底壁から上向きに延在するランプとを有し、さらに
前記ソケットの前記底壁に第１のスコアラインを形成するステップを備え、前記第１のスコアラインはテアパネルを定め、さらに
側壁と、底壁と、前記側壁に形成した少なくとも１つの螺旋溝と、上端部のグリップと、前記底壁から上向きに延在するランプとを有するキャップを形成するステップと；を備え、
前記キャップは、前記ソケットの前記突部が少なくとも１つの螺旋溝と係合するように前記ソケットに挿入可能であり、
前記キャップが前記ランプと、突部と、前記ソケットおよびキャップに形成した少なくとも１つの螺旋溝とによって生成された力によって回転されると、前記テアパネルが直線状に内向きに押されることを特徴とする、方法。
＜請求項１８＞
前記キャップの前記底壁の中央の穴開きエレメントと、前記ソケットの前記底壁の中央の第２のスコアラインとを形成するステップと、前記キャップが前記ソケットに挿入されると、前記穴開きエレメントと前記第２のスコアラインとを並置するステップとをさらに備えることを特徴とする、請求項１７に記載の方法。
＜請求項１９＞
飲料容器のための再封止自在キャップにおいて、
前記飲料容器の脆弱領域に並置した前記飲料容器を移動自在に係合するような大きさおよび形状である本体を備え、
前記本体は、前記脆弱領域を破壊するように第１の方向に回転自在であり、それによって、前記飲料容器を開口し、さらに前記本体を前記飲料容器から分離出来るように第２の方向に回転自在であり、開口後に前記飲料容器を再封止するために前記第１の方向に回転自在であることを特徴とする、飲料容器のための再封止自在キャップ。
＜請求項２０＞
前記本体は、少なくとも１つの螺旋溝を備える側壁と、一方の軸端において、そこに一連のランプが形成された底壁と、対向する軸端に形成されたグリップとを有する一体化本体であり、前記一体化本体は、飲料容器内に形成されたソケットに挿入可能であり、前記一体化本体が前記第１の方向に回転されると、前記螺旋溝および前記ランプを係合させて前記飲料缶を開口出来る力を与える前記ソケット内の対応する構造を係合可能であることを特徴とする、請求項１９に記載の再封止自在キャップ。
＜請求項２１＞
飲料容器において、
底壁および開口頂部を定める側壁を有する本体と；
前記開口頂部に嵌合され、それを封止して係合し、ソケットを有する蓋と；
前記ソケットに嵌合され、予め開口した位置と、開口位置と、再封止位置との間で移動自在であるキャップと；
前記様々な位置間で移動するための前記キャップに与える力を向上させるための手段と；を備えることを特徴とする、飲料容器。
＜請求項２２＞
前記キャップがグリップを備え、前記向上手段が前記グリップと係合可能な道具を備えることを特徴とする、請求項２１に記載の飲料容器。
＜請求項２３＞
前記キャップが前記ソケット内の封止位置に存在する時、前記ソケットと前記キャップとの間に配置される封止リングをさらに備えることを特徴とする、請求項１８に記載の飲料容器。
＜請求項２４＞
再封止自在な缶頂部を作製する方法において、
実質的に平面状のブランクから蓋を形成するステップと；
前記ブランクにソケットを形成するステップと；を備え、前記ソケットは、側壁と、底壁と、前記側壁から外向きに延在する突部と、前記底壁から上向きに延在するランプとを有し、さらに
前記ソケットの前記底壁に第１のスコアラインを形成するステップを備え、前記第１のスコアラインはテアパネルを定め、さらに
側壁と、底壁と、前記側壁に形成した少なくとも１つの螺旋溝と、上端部のグリップと、前記底壁から上向きに延在するランプとを有するキャップを形成するステップと；を備え、
前記キャップは、前記ソケットの前記突部が前記少なくとも１つの螺旋溝と係合するように前記ソケットに挿入可能であり、
前記キャップが前記ランプと、突部と、前記ソケットおよびキャップに形成した少なくとも１つの螺旋溝とによって生成された力によって回転されると、前記テアパネルが直線状に内向きに押されることを特徴とする、方法。
＜請求項２５＞
前記キャップの前記底壁の中央の穴開きエレメントと、前記ソケットの前記底壁の中央の第２のスコアラインとを形成するステップと、前記キャップが前記ソケットに挿入されると、前記穴開きエレメントと前記第２のスコアラインとを並置するステップとをさらに備えることを特徴とする、請求項２４に記載の方法。
＜請求項２６＞
飲料容器のための再封止自在キャップにおいて、
前記飲料容器の脆弱領域に並置した前記飲料容器を移動自在に係合するような大きさおよび形状である本体を備え、
前記本体は、前記脆弱領域を破壊するように第１の方向に回転自在であり、それによって、前記飲料容器を開口し、さらに前記本体を前記飲料容器から分離出来るように第２の方向に回転自在であり、開口後に前記飲料容器を再封止するために前記第１の方向に回転自在であることを特徴とする、飲料容器のための再封止自在キャップ。
＜請求項２７＞
前記本体は、少なくとも１つの螺旋溝を備える側壁と、一方の軸端において、そこに一連のランプが形成された底壁と、対向する軸端に形成されたグリップとを有する一体化本体であり、前記一体化本体は、飲料容器内に形成されたソケットに挿入可能であり、前記一体化本体が前記第１の方向に回転されると、前記螺旋溝および前記ランプを係合させて前記飲料缶を開口出来る力を与える前記ソケット内の対応する構造を係合可能であることを特徴とする、請求項２６に記載の再封止自在キャップ。
＜請求項２８＞
飲料容器において、
底壁および開口頂部を定める側壁を有する本体と；
前記開口頂部に嵌合され、それを封止して係合し、ソケットを有する蓋と；
前記ソケットに嵌合され、予め開口した位置と、開口位置と。再封止位置との間で移動自在であるキャップと；
前記様々な位置間で移動するための前記キャップに与える力を向上させるための手段と；を備えることを特徴とする、飲料容器。
＜請求項２９＞
前記キャップがグリップを備え、前記向上手段が前記グリップと係合可能な道具を備えることを特徴とする、請求項２８に記載の飲料容器。
＜請求項３０＞
前記道具が硬貨であることを特徴とする、請求項２９に記載の飲料容器。
＜請求項３１＞
前記ソケットと前記キャップとの間に配置される封止エレメントをさらに備えることを特徴とする、請求項２８に記載の飲料容器。
＜請求項３２＞
前記ソケットが底壁と、前記底壁におけるスコアラインによって定められるテアストリップとを有することを特徴とする、請求項２８に記載の飲料容器。
＜請求項３３＞
前記スコアラインが実質的にループ形状であることを特徴とする、請求項３２に記載の飲料容器。
＜請求項３４＞
前記スコアラインが実質的にＳ形状であることを特徴とする、請求項３２に記載の飲料容器。